(57)【要約】  本発明は、デュアル雌端子（２２）を有するプラグインコネクタ装置（１０）に関する。デュアル雌端子（２２）は、第１の接触部分（２４）を通して形成されたアパーチャ（２６）を有する第１の接触部分（２４）と、第２の接触部分（３０）を通して形成されたアパーチャ（３２）を有する第２の接触部分（３０）とを有する。第１の接触部分（２４）及び第２の接触部分（３０）は共に接続される。一方の端部に雄端子（４４）を有するコネクタ（４０）が、第１の接触部分（２４）の前記アパーチャ（２６）と前記第２の接触部分（３０）の前記アパーチャ（３２）とを通して配置される。コネクタ（４０）の第２の端部（４８）は電力源に接続されるように構成される。【選択図】      図３
2010507196.tif 000002
【特許請求の範囲】
【請求項１】
プラグインコネクタ装置であって、
第１の接触部分を通して形成されたアパーチャを有する前記第１の接触部分と、第２の接触部分を通して形成されたアパーチャを有する前記第２の接触部分とを有するデュアル雌端子であって、前記第１の接触部分及び前記第２の接触部分が共に接続されるデュアル雌端子と、
前記第１の接触部分の前記アパーチャと前記第２の接触部分の前記アパーチャとを通して配置されるために一方の端部に雄端子を有するコネクタであって、該コネクタの第２の端部が電力源に接続されるように構成されるコネクタと、
を備えるプラグインコネクタ装置。
【請求項２】
前記デュアル端子と機器との間の接続部をさらに備え、前記デュアル端子が、前記コネクタから受信される信号を前記機器に供給し、前記第１の接触部分及び前記第２の接触部分がＭスロット端子であり、前記雄端子がブレード端子である、請求項１に記載のプラグインコネクタ装置。
【請求項３】
前記第１の接触部分が、クリップを形成するために前記第１の接触部分の前記アパーチャに位置決めされた２つ以上のフランジを有し、
２つ以上のフランジが、クリップを形成するために前記第２の接触部分の前記アパーチャに位置決めされ、前記ブレードが前記第１の接触部分及び前記第２の接触部分の前記アパーチャを通して配置されるとき、前記第１の接触端子の前記クリップ及び前記第２の接触端子の前記クリップが接触面を形成する、請求項２に記載のプラグインコネクタ装置。
【請求項４】
前記デュアル端子がＵの形状で配列され、前記第２の接触部分が前記第１の接触部分と略平行に整列される、請求項１に記載のプラグインコネクタ装置。
【請求項５】
前記デュアル雌端子がプラスチック型枠によって適所に保持される、請求項４に記載のプラグインコネクタ装置。
【請求項６】
前記雄端子の部分を囲み、前記雄端子の前記一方の端部と前記第２の端部とを露出させるコネクタ本体をさらに備える、請求項１に記載のプラグインコネクタ装置。
【請求項７】
プラグインコネクタ装置であって、
二次空気ポンプハウジングを通して配置された開口部を有する内部室を有する前記二次空気ポンプハウジングと、
前記内部室に接続された機器と、
前記内部室に装着されたデュアル雌端子であって、第１の接触部分を通して形成されたアパーチャを有する前記第１の接触部分と、第２の接触部分を通して形成されたアパーチャを有する前記第２の接触部分とを有し、前記第１の接触部分及び前記第２の接触部分が共に接続される、デュアル雌端子と、
前記二次空気ポンプハウジングの前記開口部を通して密閉するように配置されたコネクタであって、前記コネクタが、前記第１の接触部分の前記アパーチャと前記第２の接触部分の前記アパーチャとを通して配置されるために一方の端部に雄端子を有し、前記コネクタの第２の端部が、前記コネクタを電力源に接続するために前記二次空気ポンプハウジングの外側に位置決めされるコネクタと、
を備えるプラグインコネクタ装置。
【請求項８】
前記デュアル端子と前記機器との間の接続部をさらに備え、前記デュアル端子が、前記コネクタから受信される信号を前記機器に供給し、前記第１の接触部分及び前記第２の接触部分がＭスロット端子であり、前記雄端子がブレード端子である、請求項７に記載のプラグインコネクタ装置。
【請求項９】
前記第１の接触部分が、クリップを形成するために前記第１の接触部分の前記アパーチャに位置決めされた２つ以上のフランジを有し、
２つ以上のフランジが、クリップを形成するために前記第２の接触部分の前記アパーチャに位置決めされ、前記ブレードが前記第１の接触部分及び前記第２の接触部分の前記アパーチャを通して配置されるとき、前記第１の接触端子の前記クリップ及び前記第２の接触端子の前記クリップが接触面を形成する、請求項７に記載のプラグインコネクタ装置。
【請求項１０】
前記デュアル端子がＵの形状で配列され、前記第２の接触部分が前記第１の接触部分と略平行に整列される、請求項７に記載のプラグインコネクタ装置。
【請求項１１】
前記デュアル雌端子が、前記内部室の内側に位置決めされたプラスチック型枠によって適所に保持される、請求項７に記載のプラグインコネクタ装置。
【請求項１２】
前記雄端子の部分を囲み、前記雄端子の前記一方の端部と前記第２の端部とを露出させるコネクタ本体をさらに備え、前記コネクタ本体が前記開口部を通して配置される、請求項７に記載のプラグインコネクタ装置。
【請求項１３】
プラグインコネクタ装置であって、
二次空気ポンプハウジングを通して配置された開口部を有する内部室を有する前記二次空気ポンプハウジングと、
前記内部室に接続されたアクチュエータと、
前記内部室に装着されたデュアル雌端子であって、第１の接触部分を通して形成されたアパーチャを有する前記第１の接触部分と、第２の接触部分を通して形成されたアパーチャを有する前記第２の接触部分とを有し、前記第１の接触部分及び前記第２の接触部分が共に接続されるデュアル雌端子と、
前記二次空気ポンプハウジングの前記開口部を通して配置されたコネクタ本体と、を備え
１つ以上の雄端子が前記コネクタ本体を通して延びており、前記１つ以上の雄端子の各々が、前記第１の接触部分の前記アパーチャと前記第２の接触部分の前記アパーチャとを通して配置される第１の端部と、前記コネクタの第２の端部とを有し、各々の前記１つ以上の雄端子の第２の端部が、前記コネクタを電力源に接続するために前記二次空気ポンプハウジングの外側に位置決めされる、プラグインコネクタ装置。
【請求項１４】
前記デュアル端子と前記機器との間の接続部をさらに備え、前記デュアル端子が、前記コネクタから受信される信号を前記機器に供給し、前記第１の接触部分及び前記第２の部分がＭスロット端子であり、前記１つ以上の雄端子がブレード端子である、請求項１３に記載のプラグインコネクタ装置。
【請求項１５】
前記第１の接触部分が、クリップを形成するために前記第１の接触部分の前記アパーチャに位置決めされた２つ以上のフランジを有し、
２つ以上のフランジが、クリップを形成するために前記第２の接触部分の前記アパーチャに位置決めされ、前記ブレードが前記第１の接触部分及び前記第２の接触部分の前記アパーチャを通して配置されるとき、前記第１の接触端子の前記クリップ及び前記第２の接触端子の前記クリップが接触面を形成する、請求項１４に記載のプラグインコネクタ装置。
【請求項１６】
前記デュアル端子がＵの形状で配列され、前記第２の接触部分が前記第１の接触部分と略平行に整列される、請求項１３に記載のプラグインコネクタ装置。
【請求項１７】
前記デュアル雌端子が、前記内部室の内側に位置決めされたプラスチック型枠によって適所に保持される、請求項１３に記載のプラグインコネクタ装置。
【発明の詳細な説明】
【技術分野】
【０００１】
関連出願の相互参照
本出願は、２００６年１０月１２日に出願された米国特許仮出願第６０／８５１，１５５号明細書の利益を主張する。上記の出願の開示は、参照により本明細書に援用される。
【０００２】
本発明は、コネクタ及び端子装置に関する。
【背景技術】
【０００３】
Ｍスロット（Ｉ／Ｈスロットと共に）は、電気接続を創出するために当業界で使用される機械的接続である。典型的なＭスロットは、ブレード端子として公知の雄端子を受容するために構成される雌部材（例えば、Ｍスロット端子）を有する。ブレード端子がＭスロットに挿入された場合、電気接続が達成される。Ｍスロット端子の使用により、機器へのリードフレームのように、回路を組み立てるために清浄かつ信頼性の高い電気接続が提供される。同様に、Ｍスロットの小さな設計により、パッケージ全体のより小さな寸法が可能になるので、Ｍスロットは理想的である。
【０００４】
二次空気ポンプに関し、電力は、アクチュエータ機器と電源との間の半田付け接続を使用して従来供給されている。このため、組立時間が増加し、品質が低下する。電力源と二次空気ポンプ用のアクチュエータ機器との間に、より高速かつより効率的な接続を開発することが望ましい。
【発明の開示】
【課題を解決するための手段】
【０００５】
本発明は、デュアル雌端子を有するプラグインコネクタ装置に関する。デュアル雌端子は、第１の接触部分を通して形成されたアパーチャを有する第１の接触部分と、第２の接触部分を通して形成されたアパーチャを有する第２の接触部分とを有する。第１の接触部分及び第２の接触部分は共に接続される。一方の端部に雄端子を有するコネクタが、第１及び第２の接触部分のアパーチャを通して配置される。コネクタの第２の端部は電力源に接続されるように構成される。
【０００６】
本発明のさらなる適用範囲は、以下に提供する詳細な説明から明らかになるであろう。詳細な説明及び特定の実施例は、本発明の好ましい実施形態を示しているが、説明目的のみのために意図されるに過ぎず、本発明の範囲を限定するようには意図されないことを理解すべきである。
【０００７】
本発明は、詳細な説明及び添付図面からより完全に理解されるであろう。
【図面の簡単な説明】
【０００８】
【図１】プラグインコネクタ装置が接続された二次空気ポンプの斜視図である。
【図２】プラグインコネクタ装置を有する二次空気ポンプハウジングの断面斜視図である。
【図３】デュアル雌端子及びコネクタの分解斜視図である。
【図４】プラスチック型枠を有するデュアル雌端子の分解断面図である。
【図５】雄端子の端部が係合前に位置決めされた単一のデュアル雌端子の側面斜視図である。
【発明を実施するための形態】
【０００９】
１つ又は複数の好ましい実施形態の次の説明は、本質的に単に例示的なものに過ぎず、本発明、その適用、又は用途を限定するようには意図されない。
【００１０】
ここで図１〜図５を参照すると、プラグインコネクタ装置１０が示されている。プラグインコネクタ装置１０は、二次空気ポンプを操作するためにアクチュエータ１８を収容するための内部室１４を有する二次空気ポンプハウジング１２に組み込まれる。二次空気ポンプハウジング１２は、内部室１４とポンプハウジング１２の外側との間に延びる開口部１６を有する。
【００１１】
同様に、内部室１４には、開口部１６と整列されるプラスチック型枠２０が収容される。プラスチック型枠２０は、１つ以上のデュアル雌端子２２を受容しかつ保持するように構成される。図２〜図４に示した実施形態は、２つのデュアル雌端子２２の使用を示しているが、より多くの又はより少ない数のデュアル雌端子を特定の用途の必要性に応じて使用することは、本発明の範囲内にある。例えば、異なる信号又は電流増加を必要とするアクチュエータは、より多くのデュアル雌端子を使用することができる。デュアル雌端子２２は、ポンプハウジング１２の開口部１６と動作可能に整列するプラスチック型枠２０に保持される。
【００１２】
各々のデュアル雌端子２２は、アパーチャ２６を有する第１の接触部分２４を有し、１つ以上のフランジ２８がクリップを形成するためにアパーチャ２６内に延びる。各々の個々のデュアル雌端子２２はまた、アパーチャ３２を有する第２の接触部分３０を有し、１つ以上のフランジ３４が同様にクリップを形成するためにアパーチャ３２内に延びる。第１の接触部分２４及び第２の接触部分３０は、第１及び第２の接触部分２４、３０に溶接することができるか、又は第１及び第２の接触部分２４、３０と一体形成することができるブリッジ３６によって共に接続される。アパーチャ２６、３２は、雄端子４４の端部４６を受容するように整列される。デュアル雌端子２２をアクチュエータ１８に接続するために、半田及びワイヤ３８が、一方の端部でブリッジ３６に、あるいは接触部分２４、３０のいずれかに、かつ他方の端部でアクチュエータ１８に接続されることができる。
【００１３】
４０で概ね示されるコネクタは、１つのデュアル雌端子２２と接続可能な一方の端部４６を有する１つ以上の雄端子４４を包む本体４２を有する。各々の雄端子４４の第２の端部４８は、本体４２の反対側端部に配置され、電力又は信号源に接続可能である。雄端子４４はブレード端子である。雄端子４４は、ポンプハウジング１２の開口部１６を通して位置決めされることによって、デュアル雌端子２２に接続される。開口部１６は、コネクタ４０の本体４２を受容するように成形され、雄端子４４のデュアル雌端子２２への差し込みを可能にする。各々の端子４４の一方の端部４６は、デュアル雌端子２２の第１の接触部分２４と第２の接触部分３０とを通して配置される。フランジ２８、３４は、アパーチャ２６、３２内の適所に端子を保持するために雄端子４４に圧力を及ぼすクリップを形成する。コネクタの本体４２は、締結体、接着剤又は他の適切な手段を使用してポンプハウジング１２に締結することができる。本発明は、組立中に容易に達成できるアクチュエータへの電力源の迅速な接続を可能にする。
【００１４】
本発明の説明は、本質的に例示的なものに過ぎず、したがって、本発明の主旨から逸脱しない別形態は本発明の範囲内にあるように意図される。このような別形態は、本発明の精神と範囲からの逸脱とは見なされない。
【図１】
2010507196.tif 000003
【図２】
2010507196.tif 000004
【図３】
2010507196.tif 000005
【図４】
2010507196.tif 000006
【図５】
2010507196.tif 000007
【国際調査報告】
2010507196.tif 000008
2010507196.tif 000009